(57)【要約】第１の入力信号からのプライマリ画像と、プライマリ画像にオーバーレイされ第２の入力信号からのピクチャインピクチャ（ＰＩＰ）を表示するディスプレイを有するビデオ表示装置である。ＰＩＰの表示特性は、プライマリ画像の重要な部分を可能な限り少なく不明瞭にするよう第１の入力信号のタイプに関する、好適には、ファイル拡張子である情報に応じて変更される。プライマリ画像が、多くのビジュアル情報を含む場合、ＰＩＰは、小さくなるよう選択され、ディスプレイの周囲に位置付けられ、及び／又は透明である。プライマリ画像が、ビジュアル情報をほとんど有さない場合、ＰＩＰは大きくなるよう選択され、中心にされ、及び／又は非透明である。プライマリ画像がブロードバンド画像であり、ＰＩＰがＴＶ画像である統合デジタルＴＶ及びブロードバンドＴＶ（ＩＤＴＶ−ＢＢＴＶ）装置に有用である。
2007515119.tif 000002
【特許請求の範囲】
【請求項１】
プライマリ画像と、該プライマリ画像にオーバーレイするピクチャインピクチャ（ＰＩＰ）を表示するよう適応されるディスプレイと、
前記プライマリ画像を決定する第１の入力信号を受信するよう適応される第１の入力手段と、
前記ＰＩＰを決定する第２の入力信号を受信するよう適応される第２の入力手段と、
前記ディスプレイと、前記第１の入力手段及び前記第２の入力手段に動作可能に結合されたプロセッサと、
を有し、
前記第１の入力信号は、該第１の入力信号のタイプに関する情報を有し、
前記プロセッサは、前記第１の入力信号のタイプに関する前記情報を解析し、前記情報に応じてＰＩＰ表示特性を変更するよう適応される、ビデオ表示装置。
【請求項２】
前記第１の入力信号は、少なくとも１つのファイルを有し、
前記情報は、前記第１の入力信号のファイル拡張子に関する情報を有する請求項１記載のビデオ表示装置。
【請求項３】
前記ＰＩＰ表示特性は、前記ディスプレイ上の前記ＰＩＰの位置、前記ＰＩＰの表示サイズ、及び前記ＰＩＰの透明度のうちの少なくとも１つである請求項１記載のビデオ表示装置。
【請求項４】
前記第１の入力信号及び／又は前記第２の入力信号は、ブロードバンド信号である請求項１記載のビデオ表示装置。
【請求項５】
前記第１の入力信号及び／又は前記第２の入力信号は、ＴＶ信号である請求項１記載のビデオ表示装置。
【請求項６】
前記第１の入力信号及び／又は前記第２の入力信号は、オーディオ−ビデオ信号である請求項１記載のビデオ表示装置。
【請求項７】
前記ビデオ表示装置は、統合デジタルＴＶ装置である請求項１記載のビデオ表示装置。
【請求項８】
ディスプレイと、該ディスプレイに動作可能に結合されるプロセッサを有するビデオ表示装置においてピクチャインピクチャ（ＰＩＰ）表示特性を制御する方法であって、
前記ディスプレイ上に表示されるべきプライマリ画像を決定し、第１の入力信号のタイプに関する情報を有する該第１の入力信号を受信する段階と、
前記ＰＩＰを決定する第２の入力信号を受信する段階と、
前記第１の入力信号のタイプに関する前記情報を、前記プロセッサにより解析する段階と、
前記情報に応じてＰＩＰ表示特性を変更する段階と、
を有する方法。
【請求項９】
汎用コンピュータ上で実行されるときに請求項７に記載の方法段階を実行するよう適応されるコンピュータプログラム。
【発明の詳細な説明】
【技術分野】
【０００１】
本発明は、ビデオ表示装置に係る。より具体的には、本発明は、プライマリ画像と、プライマリ画像にオーバーレイするピクチャインピクチャ（ＰＩＰ）を表示するよう適応されるビデオ表示装置に係る。本発明は更に、ビデオ表示装置におけるＰＩＰ表示特性を制御する方法に係る。
【背景技術】
【０００２】
特許文献１は、ピクチャインピクチャ（ＰＩＰ）ディスプレイ及びプロセッサを有するビデオ表示装置を開示する。プロセッサは、ＰＩＰがオーバーレイされるプライマリ表示画像内に存在する色、テクスチャ、事象、挙動等のキューを検出する。これらのキューは、プライマリ画像の重要な部分と比較的重要でない部分とを決定するようプロセッサによって用いられる。この情報に基づいて、プロセッサは、ＰＩＰによって不明瞭となるプライマリ画像の重要な部分を少なくするようＰＩＰの特性を変更しうる。プロセッサによって変更されうる表示特性は、ＰＩＰ位置、サイズ、及び透明度が挙げられる。
【０００３】
しかし、プライマリ画像の重要な部分と比較的重要でない部分を決定する作業は、幾分困難且つ複雑であり得る。
【特許文献１】米国特許出願番号第２００２／００７５４０７号
【発明の開示】
【発明が解決しようとする課題】
【０００４】
従って、本発明は、単純且つ容易な方法で、プライマリ画像の重要な部分を不明瞭にすることを回避するためにＰＩＰの特性を変更可能なビデオ表示装置を提供することを目的とする。
【０００５】
本発明は更に、単純且つ容易な方法で、ビデオ表示装置におけるＰＩＰ表示特性を制御する方法を提供することを目的とする。
【課題を解決するための手段】
【０００６】
本発明の第１の面では、上述及び他の目的は、プライマリ画像と、該プライマリ画像にオーバーレイするピクチャインピクチャ（ＰＩＰ）を表示するよう適応されるディスプレイと、プライマリ画像を決定する第１の入力信号を受信するよう適応される第１の入力手段と、ＰＩＰを決定する第２の入力信号を受信するよう適応される第２の入力手段と、ディスプレイと、第１の入力手段及び第２の入力手段に動作可能に結合されたプロセッサとを有し、第１の入力信号は、該第１の入力信号のタイプに関する情報を有し、プロセッサは、第１の入力信号のタイプに関する情報を解析し、情報に応じてＰＩＰ表示特性を変更するよう適応される、ビデオ表示装置を提供することにより実現される。
【０００７】
本発明の第２の面では、上述及び他の目的は、ディスプレイと、該ディスプレイに動作可能に結合されるプロセッサを有するビデオ表示装置においてピクチャインピクチャ（ＰＩＰ）表示特性を制御する方法であって、ディスプレイ上に表示されるべきプライマリ画像を決定し、第１の入力信号のタイプに関する情報を有する該第１の入力信号を受信する段階と、ＰＩＰを決定する第２の入力信号を受信する段階と、第１の入力信号のタイプに関する情報を、プロセッサにより解析する段階と、情報に応じてＰＩＰ表示特性を変更する段階とを有する方法を提供することにより実現される。
【０００８】
本発明の第３の面では、上述及び他の目的は、汎用コンピュータ上で実行されるときに本発明の第２の面において説明した方法段階を実行するよう適応されるコンピュータプログラムを提供することによって実現される。
【０００９】
プロセッサは、例えば、ビデオ表示装置内に埋め込みされるか、又は、ビデオ表示装置に接続された例えばパーソナルコンピュータ（ＰＣ）といった外部コンピュータ装置内に設置される任意の好適な種類のプロセッサでありうる。
【００１０】
プライマリ画像は、観察者がディスプレイ上で見たいと希望する画像であることが好適である。プライマリ画像は、ゲーム、インターネットコンテンツ、ビデオ画像、ＴＶ画像等でありうる。或いは、プライマリ画像は、第１の入力信号が、音楽といったように純粋なオーディオ信号である場合にランダムな信号又はスクリーンセーバでありうる。
【００１１】
ＰＩＰは、プライマリ画像にオーバーレイするピクチャである。本発明では、プライマリ画像がＰＩＰによって最小限に妨げられるようにプライマリ画像内のＰＩＰの、例えば、サイズ又は位置を容易に選択することが可能である。従って、第１の入力信号のタイプの単純な解析に基づいて、ＰＩＰの表示特性（例えば、サイズ及び／又は位置）は、ディスプレイの使用を最適化するよう変更されうる。従って、可能な限り少ないプライマリ画像の「重要」情報が、ＰＩＰによって不明瞭にされることが確実にされる。更に、プライマリ画像が、可視情報をほとんど有さない又は全く有さない場合（例えば、第１の信号が、ラジオ信号といったように純粋なオーディオ信号である場合）、ＰＩＰは、ディスプレイ上の目立つ位置を得うる。
【００１２】
第１の入力信号のタイプに関する情報は容易に入手可能であるので、ＰＩＰの表示特徴は、これに基づいて容易に変更しうる。従って、表示特徴を変更する必要があるか否かを決定し、また、必要がある場合に負担がかかる又は難しい計算又は評価が必要ない。
【００１３】
第１の入力信号は、少なくとも１つのファイルを有し、その場合、情報は、第１の入力信号のファイル拡張子に関する情報を有しうることが好適である。従って、この実施例では、第１の入力信号のタイプは、ファイル拡張子に基づいて決定される。これは、インターネットを介して受信される、又は、ビデオ表示装置とは別個のサーバ装置から得られる、例えば、ブロードバンド信号から非常に簡単に入手可能である。或いは、第１の入力情報のタイプに関する情報は、別の方法でその信号から入手しうる。
【００１４】
ＰＩＰ表示特性は、ディスプレイ上のＰＩＰの位置、ＰＩＰの表示サイズ、及びＰＩＰの透明度のうちの少なくとも１つでありうる。
【００１５】
第１の入力信号及び／又は第２の入力信号は、ブロードバンド信号でありうる。１つの好適な実施例では、第１の入力信号は、インターネットを介して又は別個のコンピュータ装置からのリンクを介して受信した信号といったブロードバンド信号であり、第２の入力信号は、アナログＴＶ信号、デジタルＴＶ信号、又はテレテキスト信号といったＴＶ信号である。ブロードバンド信号は、例えば、ゲーム、インターネット情報、音楽、ビデオ、静止画像（例えば、写真）等でありうる。第１の入力信号がゲーム、ビデオ信号等である場合、ＰＩＰは、小さく及び／又は透明であるよう選択され、また、プライマリ画像の重要な部分（例えば、中心部分）から離れるよう位置付けられることが好適である。第１の入力信号が、純粋なオーディオ信号（例えば、ラジオ信号又は別の音楽信号）である場合、ＰＩＰは、ディスプレイ上で目立つ位置及びサイズを与えられ、例えば、大きい、非透明の画像でディスプレイの真ん中に位置付けられうる。この場合、ＰＩＰは、スクリーンセーバの代わりに用いられてもよい。
【００１６】
或いは又は追加的に、第１の入力信号及び／又は第２の入力信号は、オーディオ−ビデオ（ＡＶ）信号でありうる。この場合、信号は、ＤＶＤプレイヤといったようにレガシー装置から受信されることが好適である。更に、第１の入力信号及び／又は第２の入力信号は、ＦＭラジオ信号でありうる。
【００１７】
ビデオ表示装置は、統合デジタルＴＶ装置であることが好適である。
【発明を実施するための最良の形態】
【００１８】
本発明を、添付図面を参照して詳細に説明する。
【００１９】
図１は、アンテナ２を介してアナログ又はデジタルＴＶを受信するよう適応される総合デジタルＴＶ及びブロードバンドＴＶ（ＩＤＴＶ−ＢＢＴＶ）装置１を示す。更に、ＩＤＴＶ−ＢＢＴＶ装置１は、接続３を介してインターネット及び／又は別個のパーソナルコンピュータ（ＰＣ）に接続される。ＩＤＴＶ−ＢＢＴＶ装置１は、ディスプレイ４を有し、その上で、プライマリ画像５と、ＰＩＰ６が映されうる。
【００２０】
ブロードバンド信号が接続３を介して受信され、このブロードバンド信号が、プライマリ画像５を決定する。同時に、ＴＶ信号がアンテナ２を介して受信され、このＴＶ信号が、ＰＩＰ６を決定する。図１では、ＴＶ信号はアンテナ２を介して受信されると示すが、ＴＶ信号は、例えば、ＤＶＤプレイヤ等といったレガシー装置から任意の他の好適な方法で受信されうることを理解するものとする。ブロードバンド信号のタイプに関する情報は、その信号から、例えば、ブロードバンド信号における少なくとも１つのファイルのファイル拡張子から得られる。この情報に基づいて、プライマリ画像５の重要な部分がＰＩＰ６によって不明瞭にされないことを確実にするようＰＩＰ６の表示特性が変更される。ブロードバンド信号のタイプに関する得られた情報は、従って、プライマリ画像５のどこに且つどのくらいの範囲で重量な領域が存在するか示す。従って、この情報は、可能な限りプライマリ画像５を妨げないようＰＩＰ６が配置されうる位置及び方法を示す。
【００２１】
図２は、プライマリ画像５と、下位位置にあるＰＩＰ６を有するディスプレイ４を示す。従って、ＰＩＰ６は小さく、ディスプレイ４の右上の隅に位置付けられ、それにより、プライマリ画像５の小さな（また、あまり重要でないと想定する）部分しか不明瞭にしない。更に、ＰＩＰ６は、透明であるよう選択されうるので、それにより、不明瞭となるプライマリ画像５をより一層少ない。図２は、ＰＩＰ６がディスプレイ４の右上の隅に位置付けられていると示すが、これは一例に過ぎず、ＰＩＰ６の位置は、ＰＩＰ６によって不明瞭にされるプライマリ画像５の「重要な」部分が可能な限り小さくされるよう選択されることを理解すべきである。
【００２２】
図２における状況は、ブロードバンド信号のタイプが、ブロードバンド信号は、ビジュアルコンテンツが支配的である種類、例えば、ビデオ信号、静止画像、ゲーム等であることを示す場合に一般的に発生する。この場合、プライマリ画像５の相対的に大きい部分がＰＩＰ６によって妨げられないことが望ましい。
【００２３】
図３は、プライマリ画像５と、目立つ位置にあるＰＩＰ６を有するディスプレイ４を示す。従って、ＰＩＰ６は、ディスプレイ４の中心部に位置付けられ、プライマリ画像５を略覆っている。
【００２４】
図３における状況は、ブロードバンド信号のタイプが、ブロードバンド信号は、全く又は少しのビジュアル情報しか含まない、例えば、ラジオ信号又は別の種類の音楽信号であることを示す場合に一般的に発生する。この場合、ＰＩＰ６は、プライマリ画像５の大きい部分を有利に覆い、また、スクリーンセーバ等の代わりとなりうる。
【００２５】
本発明を好適な実施例に関連して説明したが、本願において記載した特定の形に限定する意図はない。むしろ、本発明の範囲は、請求項によってしか限定されない。請求項において、有するという用語は、他の素子又は段階の存在を排除するものではない。更に、個々の特徴は、異なる請求項に含まれうるが、これらは、有利に組み合わされることが可能であり、また、異なる請求項への組み込みは、特徴の組合せが実現不可能及び／又は有利であることを示すわけではない。更に、単数形で示すものはそれが複数存在することを排除するものではない。従って、単数形で示されるもの、「第１の」、及び「第２の」で表されるものは、それらが複数存在することを排除するものではない。
【図面の簡単な説明】
【００２６】
【図１】本発明の総合デジタルＴＶ及びブロードバンドＴＶ装置を示す図である。
【図２】プライマリ画像と下位位置にあるＰＩＰを有するディスプレイを示す図である。
【図３】プライマリ画像と目立つ位置にあるＰＩＰを有するディスプレイを示す図である。
【図１】
2007515119.tif 000003
【図２】
2007515119.tif 000004
【図３】
2007515119.tif 000005
【国際調査報告】
2007515119.tif 000006
2007515119.tif 000007